(57)【特許請求の範囲】
【請求項１】
照射開口の前面にケース体を備えた照明器具であって、
前記ケース体は、前記照射開口から照射される光を制限する開口を有したマスクと、前記マスクの開口を通過した光を被照射面に向けて集光する照射レンズと、を備え、
前記マスクは、前記開口の開口形状を可変する形状可変手段を備え、前記ケース体に着脱自在に設けられており、
前記ケース体は、前記マスクの漏れ光を遮蔽する遮蔽板を、前記マスクと前記照射レンズの間に備えることを特徴とする照明器具。
ことを特徴とする照明器具。
【請求項２】
前記マスクを移動し、前記マスク、及び前記照射レンズの間の距離を調整する第１調整部を備えることを特徴とする請求項１に記載の照明器具。
【請求項３】
前記照射レンズを移動し、前記マスク、及び前記照射レンズの間の距離を調整する第２調整部を備えることを特徴とする請求項１または２に記載の照明器具。
【請求項４】
前記ケース体は、前記照射開口に着脱自在に設けられていることを特徴とする請求項１〜３のいずれかに記載の照明器具。
【請求項５】
前記マスクは、４枚の遮光板により形成され、被照射面を矩形形状に照射することを特徴とする請求項１〜４のいずれかに記載の照明器具。
【発明の詳細な説明】
【技術分野】
【０００１】
本発明は、投光照明に用いて好適な照明器具に関する。
【背景技術】
【０００２】
従来、屋外の投光照明に用いられる照明器具において、道路標識の標識板や広告表示板を照明する照明器具が知られている。
この種の照明器具では、標識板や広告表示板の形状に対応した照射範囲を照明するために、照射範囲の形状（以下、「照射範囲形状」という）に応じて照明器具の光を制限するマスクと、このマスクを通過した光を被照射面に照射するレンズと、を備えた器具も知られている（例えば、特許文献１参照）。
【先行技術文献】
【特許文献】
【０００３】
【特許文献１】特許第３２９９６４９号公報
【発明の概要】
【発明が解決しようとする課題】
【０００４】
しかしながら、従来の技術では、被照射面における照射範囲形状を変えることができず、照射対象ごとに照明器具を準備する必要があった。
【０００５】
本発明は、上述した事情に鑑みてなされたものであり、照射対象に応じて被照射面の照射範囲の形状を簡単に変えることができる照明器具を提供することを目的とする。
【課題を解決するための手段】
【０００６】
上記目的を達成するために、本発明は、照射開口の前面にケース体を備えた照明器具であって、前記ケース体は、前記照射開口から照射される光を制限する開口を有したマスクと、前記マスクの開口を通過した光を被照射面に向けて集光する照射レンズと、を備え、前記マスクは、前記開口の開口形状を可変する形状可変手段を備え、前記ケース体に着脱自在に設けられており、前記ケース体は、前記マスクの漏れ光を遮蔽する遮蔽板を、前記マスクと前記照射レンズの間に備えることを特徴とする照明器具。
【０００７】
また本発明は、上記照明器具において、前記マスクを移動し、前記マスク、及び前記照射レンズの間の距離を調整する第１調整部を備えることを特徴とする。
【０００８】
また本発明は、上記照明器具において、前記照射レンズを移動し、前記マスク、及び前記照射レンズの間の距離を調整する第２調整部を備えることを特徴とする。
【００１０】
また本発明は、上記照明器具において、前記ケース体は、前記照射開口に着脱自在に設けられていることを特徴とする。
【００１１】
また本発明は、上記照明器具において、前記マスクは、４枚の遮光板により形成され、被照射面を矩形形状に照射することを特徴とする。
【発明の効果】
【００１２】
本発明によれば、照射対象に応じて被照射面の照射範囲の形状を簡単に変えることができる。
【図面の簡単な説明】
【００１３】
【図１】本発明の実施形態に係るフード付ＬＥＤ照明器具の構成図である。
【図２】本発明の第１実施形態に係るＬＥＤ照明器具の図である。
【図３】同実施形態に係るＬＥＤ光源ユニットの分解斜視図である。
【図４】同実施形態に係るＬＥＤ光源ユニットの図である。
【図５】ＬＥＤ光源反射鏡の前面開口に配置される保護カバーを示した図である。
【図６】同実施形態に係るＬＥＤ照明器具の図である。
【図７】同実施形態に係るＨＩＤ照明器具の図である。
【図８】ＨＩＤ照明器具の図である。
【図９】図１に示すフードの拡大図である。
【図１０】フードの正面図である。
【図１１】フードの分解斜視図である。
【発明を実施するための形態】
【００１４】
以下、図面を参照して本発明の実施形態について説明する。
図１は、本実施形態に係るフード付ＬＥＤ照明器具２００の全体構成を示す側面視図である。
このフード付ＬＥＤ照明器具２００は、被照射面を投光照明する器具であり、被照射面における照射範囲形状を被照射面の形状に合せて調整可能に構成されている。具体的には、図１に示すように、フード付ＬＥＤ照明器具２００は、ＬＥＤ照明器具１と、このＬＥＤ照明器具１の照射開口３に着脱自在に取付けられるフード２６０とを備え、このフード２６０が照射範囲形状を可変にしている。
【００１５】
図２は、ＬＥＤ照明器具１の全体像を示した図である。
ＬＥＤ照明器具１は、反射鏡ユニット５と、ＬＥＤ光源ユニット１０とを備える。
反射鏡ユニット５は、反射鏡４と、反射鏡４の先端の照射開口３と、照射開口３に固定される前面ガラス（光透過部材）２とを備える。
前面ガラス２は照射開口３の周縁部に所謂かしめ結合されており、前面ガラス２の外周部と照射開口３の周縁部は防水された状態である。また、反射鏡ユニット５は、図６に示すように、反射鏡４の後端に開口６と、開口６の周囲に備えられる光源ユニット接続部（取付けフランジ）７と、反射鏡４の後端部に備えられるアーム取付け片８と、アーム取付け片８に取付けられたアーム９とを備える。
上記ＬＥＤ光源ユニット１０は、反射鏡４の後端の開口６に、取付けフランジ７を介して防水状態で取付けられている。
【００１６】
図３、及び図４は、ＬＥＤ光源ユニット１０を示す。
ＬＥＤ光源ユニット１０は、ベースプレート１８と、ベースプレート１８に連結されたヒートシンク１９と、ヒートシンク１９を覆う樹脂製カバー２０とを備える。ベースプレート１８の中央部には、ＣＯＢ型ＬＥＤ１７が配置されている。ＣＯＢ型ＬＥＤ１７は、多数のＬＥＤをＬＥＤ基板３１の上に密集配置して平面視略円形（四角形も有り得る）の面状の発光部３１Ａを形成したチップオンボード（Ｃｈｉｐ  Ｏｎ  Ｂｏａｒｄ：ＣＯＢ）構造の発光デバイスである。ＣＯＢ型ＬＥＤ１７は、多数のＬＥＤが密集配置されていることから大光量、及び高輝度なＬＥＤ光源となる。本構成では、電源ボックス（不図示）が、ＬＥＤ光源ユニット１０と別置である。したがって、電源値を変化させることで、複数の光学性能を包括可能なＬＥＤ光源ユニット１０を構成できる。
ＣＯＢ型ＬＥＤ１７の上には、シリコンパッキン１６と、絶縁シート１５と、ＬＥＤ光源防水パッキン１４と、が配置されている。
【００１７】
ＬＥＤ光源防水パッキン１４と密着して、相フランジ１３が配置され、相フランジ１３は、反射鏡ユニット５の取付けフランジ７に接合される。相フランジ１３には取っ手１３ａが取付けられており、この取っ手１３ａを持ってＬＥＤ照明器具へのリニューアルの作業を容易に行うことができる。相フランジ１３の上には、ＬＥＤ押え金具１２と、ＬＥＤ光源反射鏡１１と、が配置されている。
なお図５に示すように、ＬＥＤ光源反射鏡１１の前面開口にアクリル板などの光透過性を有する保護カバー３０を配置してもよい。
保護カバー３０は、ＬＥＤ光源ユニット１０を、例えば単体で使用する場合、ＬＥＤ光源の保護と安全性の観点から充電部保護のため設けられる。ＣＯＢ型ＬＥＤ１７に直接手を触れさせないため、保護カバー３０には手指が入らない大きさの通気孔２９、２９…を複数設ける構成としてもよい。この通気孔２９、２９…は充電部保護の効果と、保護カバー３０を装着することによるＬＥＤの温度上昇による光学性能（光出力）の低下を抑える効果を同時に奏する。また、通気孔２９、２９…は、図５に示すように、保護カバー３０のカバー面に同心的に配置されている。この通気孔２９、２９…は円弧状の長孔で形成され、保護カバー３０の中心から外に向けて円環状に等間隔で配置される。この配置により、カバー面に通気孔２９、２９…の有る箇所と、無い箇所からの透過光による照射面での照度ムラを抑える効果を合わせて奏する。
【００１８】
ベースプレート１８は、ＣＯＢ型ＬＥＤ１７が直接的に取付けられる基板取付け部材であり、高熱伝導材である。例えば金属であるアルミニウムから形成されている。ベースプレート１８は、図３に示すように、略円板状に形成され、その表面の中央にＬＥＤ収容凹部４０が設けられており、このＬＥＤ収容凹部４０に上記ＣＯＢ型ＬＥＤ１７のＬＥＤ基板３１が収められ、その上面がシリコンパッキン１６と絶縁シート１５とにより覆われている。なお、ＣＯＢ型ＬＥＤ１７からＬＥＤ収容凹部４０への伝熱を促進するために、両者の接触面に熱伝導グリス等を塗布し、或いは、熱伝導シートを介在させて両者間の熱抵抗を小さくしても良い。
【００１９】
ベースプレート１８の表面には、ＬＥＤ収容凹部４０を囲む環状のＬＥＤ押え金具１２がネジ止め固定され、このＬＥＤ押え金具１２にＬＥＤ光源反射鏡１１が固定される。このＬＥＤ押え金具１２は、ベースプレート１８へのネジ止め固定に伴い、ＣＯＢ型ＬＥＤ１７のＬＥＤ基板３１、シリコンパッキン１６、絶縁シート１５、ＬＥＤ光源防水パッキン１４、及び相フランジ１３を上から押さえ付けるように構成されている。これにより、ＬＥＤ押え金具１２の固定によってＣＯＢ型ＬＥＤ１７の固定も兼ねられることとなり、ベースプレート１８へのＣＯＢ型ＬＥＤ１７のネジ止め固定等が不要となる。
【００２０】
ＬＥＤ光源反射鏡１１は、回転放物体や回転楕円体などの回転体形状であり、その内面に所定の配光制御に応じて決定された回転放物反射面や回転楕円反射面が形成された凹面鏡である。このＬＥＤ光源反射鏡１１は、樹脂材を母材とし、その表面に反射材をコーティングすることで構成されており、金属材から形成する場合に比べて軽量化が図られている。また、このＬＥＤ光源反射鏡１１は、ねじ込み式で上記ＬＥＤ押え金具１２に取付け固定される。具体的には、ＬＥＤ光源反射鏡１１の基端部３５Ａの縁部には、ＬＥＤ押え金具１２の溝に係合する鍔部３３が設けられている。ＬＥＤ押え金具１２には係合溝４２Ａが設けられ、係合溝４２Ａに上記鍔部３３が入り込み、ＬＥＤ光源反射鏡１１の回転に伴って鍔部３３が係合溝４２Ａに脱落不能に係合する。
ＬＥＤ光源反射鏡１１の固定時には、この係合溝４２Ａに鍔部３３をねじ込むことで、別途に工具を用いることなくＬＥＤ光源反射鏡１１を固定できる。また、ＬＥＤ光源反射鏡１１の鍔部３３も樹脂材で形成されており、係合溝４２Ａと鍔部３３の間にバネ力（弾性力）が働き、両者の結合力が高められている。
【００２１】
このＬＥＤ光源ユニット１０では、ベースプレート１８とＬＥＤ押え金具１２の間が、絶縁シート１５により絶縁され、ＬＥＤ押え金具１２と相フランジ１３の間が、ＬＥＤ光源防水パッキン１４により絶縁される。
したがって、ベースプレート１８に取付けられたＣＯＢ型ＬＥＤ１７と、相フランジ１３の間は絶縁される。これによれば、図２に示すように、反射鏡ユニット５の取付けフランジ７と、ＬＥＤ光源ユニット１０の相フランジ１３とを接合する際に、ＣＯＢ型ＬＥＤ１７と、反射鏡ユニット５の間は絶縁されており、ＣＯＢ型ＬＥＤ１７のアース線の接続などが不要になる。
【００２２】
ヒートシンク１９は、ＣＯＢ型ＬＥＤ１７からベースプレート１８に伝えられた熱を放熱する放熱機構である。具体的には、ヒートシンク１９は、複数枚の放熱フィン４８と、ベースプレート１８に伝えられたＣＯＢ型ＬＥＤ１７の熱を放熱フィン４８に伝える複数本のヒートパイプ４９とを備えている。
放熱フィン４８は、略矩形状の板材であり、熱伝導性に優れ軽量な金属材であるアルミニウム板で形成されている。多数枚の放熱フィン４８を上記ヒートパイプ４９のそれぞれが貫通し、これらの放熱フィン４８が互いに所定間隔をあけるように積層して一体に束ねられている。これら放熱フィン４８は、支持金具（不図示）によって、ベースプレート１８の裏面から垂直に延びるように配置される。支持金具（不図示）は、放熱フィン４８とベースプレート１８の裏面との間に所定の隙間を設けて支持し、この隙間を通じてベースプレート１８の裏面と放熱フィン４８を空気が流通可能となり、ベースプレート１８の裏面の熱溜まりが抑制される。
本構成では、ヒートシンク１９を覆って樹脂製カバー２０が設けられている。この樹脂製カバー２０には、ヒートシンク１９に対し、垂直に多数の空気の流通孔が設けられている。
【００２３】
図６は、ＬＥＤ照明器具１の分解斜視図である。
反射鏡ユニット５において、反射鏡４の後端開口６の周囲には、円環状の取付けフランジ７が配置されている。取付けフランジ７は内周部に周溝（不図示）を備え、この周溝（不図示）にはＯリング５１が配置されている。
また、取付けフランジ７は、外周部に周方向に３等分に配置された止め具５２を備えている。３つの止め具５２は同じ構造であり、反射鏡４の後端に固定された一対の耳片５３と、一対の耳片５３の間に、一端が回動自在に支持されたボルト５４と、ボルト５４の他端に螺合した蝶ナット５５とを備えている。
ＬＥＤ光源ユニット１０において、反射鏡ユニット５の取付けフランジ７に接合される相フランジ１３は、図３に示すように、Ｏリング５１に密着する密着面１３ｂと、密着面１３ｂの外周側で、止め具５２と相対する係止片５７とを備える。この係止片５７には、取付けフランジ７に相フランジ１３が接合されたとき、図２に示すように、上記ボルト５４が係合自在な溝部５７ａが形成されている。
上述した構成の取付けフランジ７と、相フランジ１３とを接合させ、止め具５２と係止片５７とを連結させることにより、反射鏡ユニット５に対し、ＬＥＤ光源ユニット１０が、Ｏリング５１の機能と共に防水の状態で結合される。
【００２４】
なお本構成において、ＬＥＤ光源ユニット１０は、ＬＥＤ光源反射鏡１１により光の配光を制御する。したがって、ＬＥＤ照明器具１では、反射鏡ユニット５の反射鏡４は、単に防水構造を提供するだけであり、光の配光の制御には寄与しない。
またＬＥＤ光源反射鏡１１は必須のものではない。例えば、ＣＯＢ型ＬＥＤ１７を使用したとして、ＬＥＤ光源反射鏡１１の代わりに配光用のレンズを用いてもよい。
【００２５】
図７は、ＨＩＤ照明器具１００の分解斜視図である。
ＨＩＤ照明器具１００は、ＨＩＤランプユニット７１と、上述した実施の形態の反射鏡ユニットと同じ構成を備えた反射鏡ユニット５と、を備えている。すなわち、この反射鏡ユニット５は、少なくとも、上述した構成の取付けフランジと共通の構造を有する取付けフランジ７を備えている。
ＨＩＤランプユニット７１は、光源たるＨＩＤランプ７２と、このＨＩＤランプ７２やソケット（図示せず）等を収容する略筒状の光源筒７３とを備え、この光源筒７３の開口端７３Ａには、相フランジ１１３を備えている。
【００２６】
上記相フランジ１１３は、ＨＩＤランプユニット７１を反射鏡ユニット５に取り付けるために配置されている。
反射鏡ユニット５の取付けフランジ７は、上述したように、内周部に周溝（不図示）を備え、この周溝（不図示）にはＯリング５１が配置され、かつ、外周部には周方向に３等分に配置された止め具５２を備えている。
３つの止め具５２は同じ構造であり、反射鏡４の後端に固定された一対の耳片５３と、一対の耳片５３の間に、一端が回動自在に支持されたボルト５４と、ボルト５４の他端に螺合した蝶ナット５５とを備えている。
【００２７】
ＨＩＤランプユニット７１において、反射鏡ユニット５の取付けフランジ７に接合される相フランジ１１３は、Ｏリング５１に密着する密着面（不図示）と、密着面（不図示）の外周側で、止め具５２と相対する係止片１５７とを備える。この係止片１５７には、取付けフランジ７に相フランジ１１３が接合されたとき、上記ボルト５４が係合自在な溝部１５７ａが形成されている。
上述した構成の取付けフランジ７と、相フランジ１１３とを接合させ、止め具５２と係止片１５７とを連結させることにより、反射鏡ユニット５に対し、ＨＩＤランプユニット７１が、Ｏリング５１の機能と共に防水の状態で結合される。
【００２８】
図８は、ＪＩＬ ５００４-２０１２  公共施設用照明器具（一般社団法人 日本照明工業会刊行）に規定されたＨＩＤ照明器具１００を示す。
公共施設用照明器具は、一般社団法人  日本照明工業会の公共施設用照明器具標準委員会が定める共通仕様であり、公共施設照明器具標準形名が同一ならば、メーカーを問わず同等の器具設計をされた器具となるため、器具を設置する施設に合わせた器具の選択をする際に有用となる。
ここに規定されたサイズのＨＩＤ照明器具１００の場合には、ＨＩＤランプユニット７１の代わりにＬＥＤ光源ユニット１０を取付けたとき、反射鏡４の内側に籠る熱でＣＯＢ型ＬＥＤ１７の性能が劣化せず、防水性も確保できることが判明している。
このＨＩＤ照明器具１００では、全長ａ、反射鏡４の先端の照射開口３の幅ｂ、アーム９の下端からＨＩＤランプ７２のセンターまでの高さｃ、アーム９上端の回転中心とアーム９下端のボルト孔位置との距離ｄとする。
この実施の形態の適用は、全長ａが、３８０〜４７０ｍｍで、幅ｂが、３５０〜４４０ｍｍで、高さｃが、２５０〜３６０ｍｍで、かつ、高さｄが、１８０〜２７５ｍｍにあるか、或いは、全長ａが、４９０〜６００ｍｍで、幅ｂが、５１０〜５９０ｍｍで、高さｃが、２９０〜４２０ｍｍで、かつ、距離ｄが、１８０〜３２５ｍｍにある、ＨＩＤ照明器具１００に、好適である。
【００２９】
本実施の形態では、ＬＥＤ照明器具１の反射鏡ユニット５に対し、ＬＥＤ光源ユニット１０を取り付ける際には、取付けフランジ７と、相フランジ１３とを接合させ、止め具５２と係止片５７とを連結させることにより、反射鏡ユニット５に対し、ＬＥＤ光源ユニット１０を、Ｏリング５１の機能と共に防水の状態で結合できる。
また、ＨＩＤ照明器具１００の反射鏡ユニット５に対し、ＨＩＤランプユニット７１を取り付ける際には、取付けフランジ７と、相フランジ１１３とを接合させ、止め具５２と係止片１５７とを連結させることにより、反射鏡ユニット５に対し、ＨＩＤランプユニット７１を、Ｏリング５１の機能と共に防水の状態で結合できる。
【００３０】
したがって、例えば、一つの大空間を多数のＨＩＤ照明器具１００を用いて照明する現場において、ＨＩＤ照明器具１００の一つ、または二つにランプ切れがあったとき、全体の照明デザインを崩すことなく、ランプ切れのＨＩＤランプユニット７１のみを、ＬＥＤ光源ユニット１０に順次、置き換えが可能となる。
ＨＩＤランプユニット７１を、現場状況に応じ、順々に、ＬＥＤ光源ユニット１０に置き換えていくことが可能となるため、経済的負担を減らしつつ、全体の照明デザインを維持しながら、省エネルギー化を達成できる。
【００３１】
なお、本実施形態の反射鏡ユニット５において、周方向に３等分に配置された止め具５２を備える取付けフランジ７を説明したが、止め具の構成はこれに限定されない。例えば、パチン錠（スナップ・ファスナー式）などの止め具であってもよい。
【００３２】
また図１に示すように、このＬＥＤ照明器具１には、反射鏡ユニット５の反射鏡４の内側に、ＬＥＤ光源反射鏡１１の配光を変更する反射鏡２９０が設けられている。
【００３３】
図９は図１に示すフード２６０の拡大図であり、図１０はフード２６０の正面図である。また図１１はフード２６０の分解斜視図である。なお、図９はフード２６０の内部構造を透視した断面図であり、図１０はフード２６０の正面左半分の内部構造を透視した半断面図である。
フード２６０は、ＬＥＤ照明器具１の前面に設けられ、被照射面における照射範囲形状を被照射面の形状に合せて調整可能にするユニットである。
図９〜図１１に示すように、フード２６０は、ケース体２６１と、マスクユニット２６２と、照射レンズ２６３と、遮蔽板２６４と、照射レンズ保持リング２６５と、を備えている。
【００３４】
ケース体２６１は、フード２６０のユニット本体を構成するものであり、ＬＥＤ照明器具１の照射開口３と同一径、或いは照射開口３よりも大きな径を有した筒状体であり、周面２６１Ａには、マスクユニット２６２を挿入して装着する挿入口２６７が設けられている。
【００３５】
マスクユニット２６２は、ケース体２６１を通過する光、すなわちＬＥＤ照明器具１の照射光を制限するユニットである。
照射レンズ２６３は、ケース体２６１の出射端２６１Ｂの側に設けられ、マスクユニット２６２を通過した光を被照射面に向けて集光して投射するレンズである。マスクユニット２６２の後述する開口２６８が、照射レンズ２６３のＬＥＤ照明器具１の側の焦点に配置され、当該開口２６８の像が照射レンズ２６３によって被照射面に投射される。
【００３６】
マスクユニット２６２は、図１０、及び図１１に示すように、中央に所定半径ｒａの開口２６８が形成された遮光性のマスク板２６９を備え、また図１１に示すように、マスク板２６９の周縁に設けられた係止片２７０を備えている。
マスク板２６９はケース体２６１の上記挿入口２６７から、係止片２７０がケース体２６１の周面２６１Ａに引っ掛かるまで挿入される。ケース体２６１はマスク板２６９が挿入されることで、その内部を光が通過不能にマスク板２６９によって遮断される。
【００３７】
このマスクユニット２６２のマスク板２６９には、図１０、及び図１１に示すように、中央の開口２６８の開口形状（輪郭形状）を可変する形状可変手段としてのシャッター機構２７２を備えている。
シャッター機構２７２は、光を遮蔽する遮光板としての板状の可動片２７３と、可動片２７３の移動をガイドするガイド部２７４とを備えている。このガイド部２７４は、開口２６８の近傍から外周の側に向かって直線状に延びるようにマスク板２６９に形成された長孔によって構成され、このガイド部２７４にはスライドピン２７７がガイド部２７４に沿って移動可能に設けられ、このスライドピン２７７に可動片２７３が結合されている。
可動片２７３は、少なくとも開口２６８よりも大きな径の半円状の板材であり、直線部２７３Ａを開口２６８に向けた姿勢でスライドピン２７７に結合されている。
この可動片２７３がガイド部２７４によってスライド移動し開口２６８の一部、又は全部を塞ぐことで、開口２６８の見かけの形状が可変される。
【００３８】
マスク板２６９には、４つの上記シャッター機構２７２が開口２６８の周囲に等間隔に配置されており、それぞれのシャッター機構２７２の可動片２７３が開口２６８に進入することで、開口２６８の見かけの形状を、道路標識の標識板や広告表示板等の形状に合わせた矩形に変形し、各可動片２７３の移動量を調整して矩形の縦横比を調整できるようになっている。
なお、図１０、及び図１１では、図面が煩雑になるのを避けるために、４つのシャッター機構２７２の各可動片２７３のうちの２つを省略している。
【００３９】
なお、マスク板２６９の開口２６８の形状を可変する形状可変手段としてシャッター機構２７２を例示したが、これに限らず、例えば所望の開口形状が定まっている場合には、当該開口形状が形成された板材を、マスク板２６９に重ね合わせて開口２６８の形状を可変することもできる。
【００４０】
マスクユニット２６２が備える係止片２７０は、図１１に示すように、ケース体２６１の周面２６１Ａに密着するように湾曲した帯状の板材であり、その周面２７０Ａには、ケース体の周面２６１Ａのネジ或いはピン止め用のマスク固定用長孔２７９が形成されている。このマスク固定用長孔２７９は、マスクユニット２６２がケース体２６１に装着された状態において当該ケース体２６１の前後方向に延びる形状の孔部（第１調整部）である。
すなわち、マスクユニット２６２をケース体２６１に装着した後、このマスク固定用長孔２７９の孔部の範囲で、マスクユニット２６２をケース体２６１の前後方向に移動し、マスクユニット２６２のマスク板２６９と照射レンズ２６３の間の距離を調整することができる。
【００４１】
照射レンズ保持リング２６５は、照射レンズ２６３の周縁部２６３Ａに係合して保持する枠状部材であり、ケース体２６１の出射端２６１Ｂの側に設けられたレンズ固定用長孔２８１に係止されたネジ又はピンによって固定される。このレンズ固定用長孔２８１は、ケース体２６１の前後方向に延びた形状の孔部（第２調整部）であり、このレンズ固定用長孔２８１の孔部の範囲で、照射レンズ２６３をケース体２６１の前後方向に移動し、マスクユニット２６２のマスク板２６９と照射レンズ２６３の間の距離を調整することができる。
【００４２】
フード付ＬＥＤ照明器具２００の設置現場では、これらマスク固定用長孔２７９、及びレンズ固定用長孔２８１の各々の孔部の範囲でマスクユニット２６２、及び照射レンズ２６３を移動し、両者の距離を可変して、被照射面の大きさに合わせて、当該被照射面における照射範囲の大きさを調整できる。また、照射レンズ２６３の焦点と被照射面のズレを抑える調整（いわゆるピント合わせ）が可能になるので、照射範囲の輪郭（エッジ）のボケを抑えることができる。
【００４３】
遮蔽板２６４は、マスク板２６９と照射レンズ２６３の間に配置され、マスク板２６９の開口２６８の他の箇所（例えばシャッター機構２７２のガイド部２７４）を通過した光（すなわちマスク板２６９の漏れ光）が照射レンズ２６３に入射しないように遮蔽する遮光性の板材である。遮蔽板２６４には、図１１に示すように、その中央に、マスク板２６９の開口２６８を通過したのみ光を許容する大きさの開口２６４Ａが形成され、マスク板２６９の漏れ光のみが遮蔽板２６４によって遮光される。
このように、マスク板２６９の漏れ光が遮蔽板２６４によって遮光されて照射レンズ２６３への入射が抑えられるため、照射範囲のボケが抑えられる。
【００４４】
また図１１に示すように、ケース体２６１の光入射端２６１Ｃには、ＬＥＤ照明器具１の照射開口３の周縁部に引っ掛かる複数の爪部２８３が設けられている。
フード２６０をＬＥＤ照明器具１に取付けるときには、ケース体２６１の爪部２８３をＬＥＤ照明器具１の照射開口３の周縁部に引っ掛け、この周縁部を締め付けるリング状の締結バンド金具２８５（図１）で爪部２８３ごと周縁部を締め付けてフード２６０を取付ける。これとは逆に、フード２６０を取り外す場合には、締結バンド金具２８５による締結を解くことで簡単に取り外すことができる。
【００４５】
以上説明したように本実施形態のフード付ＬＥＤ照明器具２００によれば、マスク板２６９は、開口２６８の開口形状を可変するシャッター機構２７２を備え、ケース体２６１に着脱自在に設けられた構成とした。
これにより、被照射面の形状に合わせてシャッター機構２７２により開口形状を可変することができる。
また、当該マスク板２６９がケース体２６１に着脱自在に設けられているため、被照射対象が変るなどで被照射面の形状が変った場合でも、マスク板２６９をケース体２６１から取り出して飛翔射面の形状の変化に合せて開口２６８の形状を簡単に可変することができる。
【００４６】
また本実施形態のフード付ＬＥＤ照明器具２００によれば、マスク板２６９を移動し、当該マスク板２６９、及び照射レンズ２６３の間の距離を調整する第１調整部としてのマスク固定用長孔２７９を備える構成とした。
これにより、フード付ＬＥＤ照明器具２００の設置現場では、マスク固定用長孔２７９の孔部の範囲でマスクユニット２６２を移動し、マスク板２６９、及び照射レンズ２６３の間の距離を調整して、被照射面の大きさに合わせて、当該被照射面における照射範囲の大きさを調整できる。また、照射レンズ２６３の焦点と被照射面のズレを抑える調整（いわゆるピント合わせ）が可能になるので、照射範囲の輪郭（エッジ）のボケを抑えることができる。
【００４７】
また本実施形態のフード付ＬＥＤ照明器具２００によれば、照射レンズ２６３を移動し、マスク板２６９、及び照射レンズ２６３の間の距離を調整する第２調整部としてのレンズ固定用長孔２８１を備える構成とした。
これにより、マスク固定用長孔２７９の孔部と同様の作用効果が得られるとともに、マスク固定用長孔２７９と併用することで、マスク板２６９、及び照射レンズ２６３の間の距離の調整範囲を大きく拡張できる。
【００４８】
また本実施形態のフード付ＬＥＤ照明器具２００によれば、マスク板２６９の開口２６８の漏れ光遮蔽する遮蔽板２６４を、マスク板２６９と照射レンズ２６３の間に備える構成とした。
これにより、マスク板２６９の漏れ光による照射範囲のボケが抑えられる。
【００４９】
また本実施形態のフード付ＬＥＤ照明器具２００によれば、フード２６０のケース体２６１は、ＬＥＤ照明器具１の照射開口３に着脱自在に設けられる構成とした。
これにより、既設のＬＥＤ照明器具１に、必要に応じてフード２６０を後付けして、フード付ＬＥＤ照明器具２００を簡単に構成できる。
【００５０】
また本実施形態のフード付ＬＥＤ照明器具２００によれば、マスク板２６９は、４枚の遮光板としての可動片２７３により形成され、被照射面を矩形形状に照射する。
これによれば、道路標識の標識板や広告表示板等の形状に合わせた矩形に変形し、被照射面の矩形の各辺に対応する可動片２７３を調整して矩形の縦横比を調整できる。
【００５１】
なお、上述した実施形態は、あくまでも本発明の一態様を例示したものであって、本発明の趣旨を逸脱しない範囲で任意に変形、及び応用が可能である。
【００５２】
例えば本発明に係るフード２６０が取付けられる照明器具は、ＬＥＤ照明器具１に限定されるものでなく、任意の照明投光用の照明器具に取付けて使用することができる。
【符号の説明】
【００５３】
１  ＬＥＤ照明器具
３  照射開口
４  反射鏡
１０  ＬＥＤ光源ユニット
１１  ＬＥＤ光源反射鏡
１７  ＣＯＢ型ＬＥＤ
２００  フード付ＬＥＤ照明器具（照明器具）
２６０  フード
２６１  ケース体
２６２  マスクユニット
２６３  照射レンズ
２６４  遮蔽板
２６５  照射レンズ保持リング
２６８  開口
２６９  マスク板（マスク）
２７０  係止片
２７２  シャッター機構（形状可変手段）
２７３  可動片（遮光板）
２７４  ガイド部
２７９  マスク固定用長孔（第１調整部）
２８１  レンズ固定用長孔（第２調整部）
２８５  締結バンド金具
２９０  反射鏡
【図１】
0006518081.tif 000002
【図２】
0006518081.tif 000003
【図３】
0006518081.tif 000004
【図４】
0006518081.tif 000005
【図５】
0006518081.tif 000006
【図６】
0006518081.tif 000007
【図７】
0006518081.tif 000008
【図８】
0006518081.tif 000009
【図９】
0006518081.tif 000010
【図１０】
0006518081.tif 000011
【図１１】
0006518081.tif 000012